(57)【特許請求の範囲】
【請求項１】
周面に複数の符号が表された複数個のダイヤルと、各ダイヤルを決められた位置で回動操作可能に支持する軸方向への往復動と回動とが可能な作動軸と、前記作動軸上の各ダイヤルの位置にダイヤルと符号の配列角度毎に噛み合う噛合部を備えたダイヤル毎のロックギヤと、解錠および施錠の各操作に応動して正逆各方向へ回動する筒状体を有するアクチュエータと、前記筒状体と前記作動軸との間に設けられ筒状体の正逆回動に応動して作動軸を往復動させる往復動機構と、前記筒状体と前記作動軸との間に設けられ筒状体の正逆回動に応動して作動軸を回動させる回動機構と、各ダイヤルと各ロックギヤとを前記噛合部を介していずれかの角度位置で噛み合わせて解錠符号列を記憶させる解錠符号列設定機構と、各ダイヤルの符号が解錠符号列を構成する整列状態にないとき前記往復動機構による作動軸の移動を規制して筒状体の回動を規制するロック機構と、解錠および施錠の各操作時に各ダイヤルを強制回動させて解錠符号列を整列状態から不整列の状態へ移行させるダイヤル強制駆動機構とを備えた符号錠装置において、
前記ダイヤル強制駆動機構は、前記作動軸上に作動軸と一体回動可能に設けられるダイヤル毎のダイヤル駆動板と、解錠および施錠の各操作時の前記筒状体の回動に連動して各ダイヤル駆動板を各ダイヤルに対して変位させる変位機構とを含み、各ダイヤル駆動板と各ダイヤル駆動板に対応するダイヤルとの間には、ダイヤル駆動板がダイヤルの方向へ変位した状態で作動軸と一体に回動する間にダイヤルと係合してダイヤルを解錠符号列の整列状態から他の所定の符号列の整列状態へと移行させる係合部分がそれぞれ設けられており、
前記係合部分は、ダイヤル駆動板にそのダイヤル駆動板に対応するダイヤルに向けて突出するように設けられた係合突片と、ダイヤルの前記係合突片と対向する側の側面に一周形成された摺動面に前記係合突片と係脱可能に凹設された係合凹部とで構成されており、
前記係合突片は、基端部がダイヤル駆動板に固定された板ばねの先端部に設けられるとともに、ダイヤル駆動板がダイヤルに向けて変位したときに前記摺動面に突き当たって板ばねが弾性変形するように、係合突片と摺動面との対向距離がダイヤル駆動板の変位量より小さくなるように設定されて成る符号錠装置。
【請求項２】
各ダイヤル駆動板は、作動軸に作動軸と一体回動可能に設けられる固定板と、固定板との間で前記板ばねの基端部を挟んで保持する支持板とを含んでいる請求項１に記載された符号錠装置。
【請求項３】
前記板ばねは、基端部に固定板の側面の外周部に沿って当接されるリング状部を備え、前記支持板は、固定板との間で前記リング状部を挟んで保持するようになっている請求項２に記載された符号錠装置。
【請求項４】
前記係合突片は、板ばねの先端部をダイヤルの側に鉤状に曲げて形成されている請求項１に記載された符号錠装置。
【発明の詳細な説明】
【技術分野】
【０００１】
この発明は、各種のロッカーやキャビネットなどに用いられる符号錠装置に関し、特にこの発明は、解錠操作時や施錠操作時に解錠符号列を強制的に崩す機能を備えた符号錠装置に関する。
【背景技術】
【０００２】
この種の符号錠装置は、一般に、外周の等角度位置にそれぞれ符号が表された複数個のダイヤルと、ダイヤルと符号の配列角度毎に噛み合う噛合部を備えたダイヤル毎のロックギヤとを備えており、各ダイヤルと各ロックギヤとを前記噛合部を介していずれかの角度位置で噛み合わせて解錠符号列を記憶させている。ここで、「解錠符号列」とは、符号錠装置を解錠するための各ダイヤルの符号の並びをいう。例えば、４個のダイヤルをもつ符号錠装置であってダイヤルの符号が「０」〜「９」の数字で構成されている場合、解錠符号列は４桁の数字になる。なお、以下の説明において、解錠符号列を構成する各ダイヤルの符号を、単に「解錠符号」という。各ダイヤルの符号が全て解錠符号列を構成する解錠符号であれば解錠操作が許容され、一方、いずれかのダイヤルの符号が解錠符号でなければ（解錠符号列が崩れていれば）解錠操作が規制される。
【０００３】
符号錠装置には、装置毎に解錠符号列が固定的に設定されたものと、使用者がその都度、解錠符号列を自由に設定することが可能なものとがある。いずれの符号錠装置も、施錠に際し、撮みを回動操作した後、ダイヤル操作して解錠符号列を適当に崩すことにより施錠状態となる。また、解錠に際しては、ダイヤル操作により解錠符号列を揃えた後、撮みを前記と反対方向へ回動操作する。その後、一度限りの使用でない限り、解錠符号列を崩して施錠状態に戻しておく必要がある。
【０００４】
いずれのタイプの符号錠装置も、施錠操作後に解錠符号列を崩す操作が必要であり煩雑である。さらには、解錠操作後にも解錠符号列を崩しておく必要があり、これを忘れると、他人に解錠符号列が記憶されるおそれがあるため、防犯上好ましくない。そこで、これらの問題を解決するために、施錠および解錠の各操作時に、各ダイヤルを決められた角度位置まで回動させて、整列状態の解錠符号列を強制的に崩すダイヤル強制駆動機構が組み込まれたものが提案されている（例えば、特許文献１参照）。
【０００５】
特許文献１に記載された符号錠装置では、各ダイヤルは往復動と回動とが可能な作動軸上に回動可能に支持されており、施解錠時の撮みの回動操作に応動したアクチュエータに作動軸の往復動を連動させる往復動機構と、作動軸の回動を連動させる回動機構とが組み込まれている。そして、施錠および解錠の各操作時に、各ダイヤルを強制回動させるダイヤル強制駆動機構として、作動軸上の各ダイヤル毎に作動軸と一体回動可能なダイヤル駆動板が配備されるとともに、各ダイヤルのダイヤル駆動板と対向する側面の所定の角度位置に、係合ピンがピン孔から出没自在に設けてある。各ダイヤル駆動板は、作動軸の往復動に伴って対応するダイヤルに近づいたり遠ざかったりするよう各ダイヤルに対して変位可能である。各係合ピンはコイルバネにより対応するダイヤル駆動板の方向へ付勢されており、各ダイヤル駆動板には各ダイヤルの係合ピンが係脱する凹部が形成されている。
【０００６】
いま、各ダイヤルを回動操作して解錠符号列を揃えると、符号錠装置は解錠および施錠の各操作が可能な状態に設定される。施錠および解錠の各操作時には、各ダイヤル駆動板は対応するダイヤルの方向へ変位して、各ダイヤルに近づいた状態となる。この状態で、解錠および施錠の各操作がなされて作動軸が回動すると、各ダイヤル駆動板は作動軸と一体回動し、各ダイヤル駆動板について凹部の位置がダイヤルの係合ピンの位置と一致したとき、係合ピンがダイヤル駆動板の凹部に係合し、それ以後は、ダイヤルは作動軸およびダイヤル駆動板とともに一体に回動する。この状態からさらに作動軸が所定の角度回動すると、ダイヤルが決められた角度位置まで回動して、整列状態にあった解錠符号列が崩される。
【０００７】
【特許文献１】特許第２５６４２３８号公報
【発明の開示】
【発明が解決しようとする課題】
【０００８】
しかしながら、特許文献１に記載の符号錠装置では、ダイヤル強制駆動機構を組み込むことによってダイヤルの内部構造が複雑化し、その製作や調整に手数がかかるうえ、ダイヤル全体が大型化することで錠全体が大型化するという問題がある。
【０００９】
この発明は、上記した問題に着目してなされたもので、ダイヤル強制駆動機構が組み込まれた符号錠装置であって、ダイヤル強制駆動機構の構造が簡易でありかつダイヤルの内部構造が複雑とならず、また、錠全体が小型な符号錠装置を提供することを目的とする。
【課題を解決するための手段】
【００１０】
この発明の前提となる符号錠装置は、周面に複数の符号が表された複数個のダイヤルと、各ダイヤルを決められた位置で回動操作可能に支持する軸方向への往復動と回動とが可能な作動軸と、前記作動軸上の各ダイヤルの位置にダイヤルと符号の配列角度毎に噛み合う噛合部を備えたダイヤル毎のロックギヤと、解錠および施錠の各操作に応動して正逆各方向へ回動する筒状体を有するアクチュエータと、前記筒状体と前記作動軸との間に設けられ筒状体の正逆回動に応動して作動軸を往復動させる往復動機構と、前記筒状体と前記作動軸との間に設けられ筒状体の正逆回動に応動して作動軸を回動させる回動機構と、各ダイヤルと各ロックギヤとを前記噛合部を介していずれかの角度位置で噛み合わせて解錠符号列を記憶させる解錠符号列設定機構と、各ダイヤルの符号が解錠符号列を構成する整列状態にないとき前記往復動機構による作動軸の移動を規制して筒状体の回動を規制するロック機構と、解錠および施錠の各操作時に各ダイヤルを強制回動させて解錠符号列を整列状態から不整列の状態へ移行させるダイヤル強制駆動機構とを備えたものである。
【００１１】
前記ダイヤル強制駆動機構は、前記作動軸上に作動軸と一体回動可能に設けられるダイヤル毎のダイヤル駆動板と、解錠および施錠の各操作時の前記筒状体の回動に連動して各ダイヤル駆動板を各ダイヤルに対して変位させる変位機構とを含み、各ダイヤル駆動板と各ダイヤル駆動板に対応するダイヤルとの間には、ダイヤル駆動板がダイヤルの方向へ変位した状態で作動軸と一体に回動する間にダイヤルと係合してダイヤルを解錠符号列の整列状態から他の所定の符号列の整列状態へと移行させる係合部分がそれぞれ設けられている。前記係合部分は、ダイヤル駆動板にそのダイヤル駆動板に対応するダイヤルに向けて突出するように設けられた係合突片と、ダイヤルの前記係合突片と対向する側の側面に一周形成された摺動面に前記係合突片と係脱可能に凹設された係合凹部とで構成されている。前記係合突片は、基端部がダイヤル駆動板に固定された板ばねの先端部に設けられるとともに、ダイヤル駆動板がダイヤルに向けて変位したときに前記摺動面に突き当たって板ばねが弾性変形するように、係合突片と摺動面との対向距離がダイヤル駆動板の変位量より小さくなるように設定されている。
【００１２】
この発明による符号錠装置は、装置毎に固定の解錠符号列が設定されるものと解錠符号列を自在に設定することが可能なものとの両方に適用できる。従って、「解錠符号列設定機構」は、符号錠装置の使用者が使用に際してその都度、解錠符号列を設定して記憶させるものと、符号錠装置の提供者が予め解錠符号列を設定して記憶させておくものとを含んでいる。
【００１３】
上記した構成の符号錠装置において、各ダイヤルを回動操作して解錠符号列を揃えた後、施錠または解錠の各操作が行われると、アクチュエータの筒状体が応動して回動し、その回動に変位機構が連動して各ダイヤル駆動板を対応するダイヤルの方向へそれぞれ変位させるとともに、回動機構が応動して作動軸を回動させる。各ダイヤル駆動板が対応するダイヤルの方向へ変位したとき、各ダイヤル駆動板について、ダイヤルの係合凹部の位置と係合突片の位置とがずれていると、ダイヤル駆動板の係合突片はダイヤルの摺動面に突き当たることにより、摺動面により押圧されるので、板ばねが弾性変形する。そして、作動軸が回動すると、ダイヤル駆動板は作動軸と一体回動し、ダイヤル駆動板が回動する間に、ダイヤルの係合凹部の位置と係合突片の位置とが一致すれば、弾性変形した板ばねの復元力によりダイヤル駆動板の係合突片がダイヤルの係合凹部と互いに係合して、ダイヤル駆動板は対応するダイヤルを決められた角度だけ回動させる。同様の動作が全てのダイヤル駆動板において実行されると、解錠符号列の整列状態から他の所定の符号列の整列状態へと移行する。
【００１４】
この発明の好ましい実施態様においては、各ダイヤル駆動板は、作動軸に作動軸と一体回動可能に設けられる固定板と、固定板との間で前記板ばねの基端部を挟んで保持する支持板とを含んでいる。さらに好ましい実施態様においては、前記板ばねは、基端部に固定板の側面の外周部に沿って当接されるリング状部を備え、前記支持板は、固定板との間で前記リング状部を挟んで保持するようになっている。この実施態様によれば、板ばねの基端部を固定板と支持板とでしっかりと固定することができる。
なお、ダイヤル駆動板は、必ずしも固定板と支持板とで構成する必要はなく、例えば、作動軸と一体回動可能な固定板の側面に板ばねの基端部を固着することによって構成してもよい。
【００１５】
この発明のさらに好ましい実施態様においては、前記係合突片は、板ばねの先端部を対応するダイヤルの側に鉤状に曲げて形成されているが、前記係合突片は、基端部が固定された板ばねの先端部に接着やねじ止めなどの方法で一体に取り付けられるものであってもよい。
【発明の効果】
【００１６】
この発明によると、ダイヤル強制駆動機構として各ダイヤルに係合ピンやコイルバネが組み込まれた従来の符号錠装置のように、ダイヤルの内部構造が複雑にならないようにしたから、ダイヤルの製作や調整を効率よく行うことができるとともに、ダイヤル自体の大型化を招くおそれがない。しかも、１本の作動軸の回動によって解錠符号列を崩す構成であるから、錠全体の構造の簡易化と小型化とを実現した符号錠装置を得ることができる。
【発明を実施するための最良の形態】
【００１７】
図１および図２は、この発明の一実施例である符号錠装置の外観を示している。この符号錠装置は、例えば、不特定人が使用する貸しロッカーの扉に取り付けられるもので、上面が開口した合成樹脂製の箱状ケース１０と、この箱状ケース１０の上面開口を塞ぐ合成樹脂製の前面プレート１１とでケース体１が構成されている。このケース体１の裏側には、ロッカー本体の側に取り付けられた受け金具１３に係脱する掛止め金具１２が配備され、施錠および解錠に際して、掛止め金具１２が１２０度の範囲で正逆各方向に回動して受け金具１３に係脱することで扉の開閉が可能となる。
【００１８】
なお、以下の説明において、掛止め金具１２が受け金具１３に係合した状態を「閉状態」、この「閉状態」がロック保持されている状態を「施錠状態」、ロック解除された状態を「解錠状態」、掛止め金具１２が受け金具１３より外れた状態を「開状態」という。また「開状態」から「施錠状態」へ至る操作を「施錠操作」、「施錠状態」から「開状態」へ至る操作を「解錠操作」という。
【００１９】
図示例の符号錠装置は、解錠符号列が整列状態にあることにより施錠および解錠の各操作が可能となる符号錠の機構のみが組み込まれたものであるが、これに加えて、適正な鍵の挿入により施錠および解錠の各操作が可能となるシリンダ錠の機構を導入して構成することもできる。また、この符号錠の機構は、ロッカー使用者がその都度、解錠符号列を自在に設定することが可能なタイプのものであるが、固定の解錠符号列が設定されたタイプのものとすることもできる。
【００２０】
前面プレート１１には、板面の一端部寄りに円形の開口部１４が、中央部から他端部にかけて４個の窓孔１５が、それぞれ設けてある。開口部１４の位置には、ロッカー使用者の撮み２０による解錠および施錠の各操作に応動するアクチュエータ２が、また、４個の窓孔１５の位置には、解錠符号列を整列させるための符号錠の機構が、それぞれ組み込まれている。撮み２０は、開口部１４より前面プレート１１上へ突出している。各窓孔１５からは前面プレート１１上に、符号錠の機構を構成する４個の各ダイヤル４のダイヤル操作面４２を突出させてある。ダイヤル操作面４２には「０」から「９」の１０個の符号４３が表されている。
【００２１】
図３〜図１２には、ケース体１の内部構造が示してある。図示例の符号錠装置は、ロッカー使用者が使用に際して解錠符号列をその都度自由に設定することが可能なもので、かつ、施錠および解錠の各操作に伴い解錠符号列が崩されて「０」が４個並んだ状態（この符号列を「初期符号列」という。）へ移行させるようになっている。上記の機能を実現可能とするために、アクチュエータ２、作動軸３、４個のダイヤル４、４個のロックギヤ５、解錠符号列設定機構６、往復動機構７、回動機構８、ロック機構９、ダイヤル強制駆動機構１００などの構成を備えており、また、付加的な構成として、ダイヤル間欠送り機構９０なども設けられている。
【００２２】
なお、図３〜図１２において、図３は符号錠装置の内部構造を示す正面図である。また、図４は撮み２０を取り外した状態のアクチュエータ２の平面図である。図５，７，９，１１は符号錠装置の内部構造を示す前面プレート１４の側より見た断面図であり、図６，８，１０，１２は前面プレート１４の垂直方向に沿う断面図である。図５，６は符号錠装置の「開状態」を、図７，８は「施錠操作時」の状態を、図９，１０は「閉状態」を、図１１，１２は「解錠操作時」の状態を、それぞれ示している。
【００２３】
（１）アクチュエータ２の構成
アクチュエータ２は、撮み２０による施錠および解錠の各操作に応動するもので、仕切板１６で区画された一方の空間内に筒状体２１が回動可能に支持されて成る。筒状体２１の上端には前記撮み２０が取り付けられ、この撮み２０を撮んで正逆いずれかの方向へ回動操作すると、筒状体２１が一体に回動する。
【００２４】
この実施例では、筒状体２１は内筒２２と外筒２３とで構成されるとともに、内筒２２の内部の外筒２３との間には複数のディスクタンブラーより成る錠機構（図示せず）が組み込まれている。ディスクタンブラーは、外筒２３に対する内筒２２の回動を規制するためのもので、鍵孔２７から内筒２２内へマスター鍵が挿入されていない状態では、ディスクタンブラーが内筒２２と外筒２３との間に介在して内筒２２と外筒２３とが係合した状態になるため、撮み２０の回動操作により内筒２２と外筒２３とが一体回動する。マスター鍵が挿入された状態では、全てのディスクタンブラーが内筒２２内に退避することで内筒２２と外筒２３との係合が外れる結果、撮みの回動操作により外筒２３内で内筒２２のみが単独で回動可能な状態になる。
【００２５】
この実施例によると、解錠符号列が忘れられたときなどに、内筒２２内へマスター鍵を挿入すると、内筒２２と外筒２３との係わりが切れて、内筒２２のみを回動操作することができる。内筒２２の下端には、ケース体１外へ突出する取付軸２４を介して前記掛止め金具１２が取り付けられており、これにより解錠操作が可能となる。なお、このような構成の錠機構はすでに公知であって、ここでは錠機構についての詳細な説明は省略する。
【００２６】
筒状体２１を構成する外筒２３の上部外周面には、図２４（１）に示すように、所定の角度（この実施例では、１２０度）を隔てて第１の凹部２５と第２の凹部２６とが形成されている。第１，第２の各凹部２５，２６は、作動軸３の先端部３０が嵌まる大きさに形成されており、第１の凹部２５は、筒状体２１が「開状態」の角度位置にあるときに作動軸３の方向を向き、一方、第２の凹部２６は、筒状体２１が「閉状態」の角度位置にあるときに作動軸３の方向を向く。これら第１，第２の各凹部２５，２６は、後述する往復動機構７を構成している。
【００２７】
外筒２３の下部外周面には、図２４（２）に示すように、筒状体２１が「開状態」の角度位置にあるときに作動軸３の方向を向いて作動軸３と直交する垂直面２８Ａと、筒状体２１が「閉状態」の角度位置にあるときに作動軸３の方向を向いて作動軸３と直交する垂直面２８Ｂと、垂直面２８Ａと垂直面２８Ｂとを繋ぐ凸曲面２９とがそれぞれ形成されている。これらの垂直面２８Ａ，２８Ｂおよび凸曲面２９は、後述する解錠符号列設定機構６を構成している。
【００２８】
外筒２３の外周には、後述する往復動機構７を構成する外筒リング７０が回動可能に嵌合されている。また、外筒２３の外周には、後述する回動機構８を構成する第１の傘歯車８０も嵌着されている。
【００２９】
（２）作動軸３の構成
作動軸３は、アクチュエータ２と直交する方向に水平に設けられており、先端部３０が仕切板１６に開設された軸受孔に、基端部が軸受１７に、それぞれ往復動可能かつ正逆回動可能に支持されている。作動軸３の基端部にはフランジ部３１が設けられ、このフランジ部３１と軸受１７との間には圧縮バネ３３が配備され、そのバネ圧によって作動軸３を常時、アクチュエータ２の方向へ付勢している。この圧縮バネ３３は、後述する往復動機構７を構成している。
【００３０】
作動軸３の先端部３０には、後述する回動機構８を構成する第２の傘歯車８１が摺動自由に支持されている。作動軸３の先端部３０の先端面は曲面になっており、この先端部３０が第２の傘歯車８１よりアクチュエータ２の側へ突出したり引っ込んだりする。作動軸３の軸周面には、一定間隔毎に４個の凸子３２ａがそれぞれ同じ角度位置に一体突設されている。なお、この実施例では、他の同じ角度位置にも４個の凸子３２ｂを一体突設しているが、凸子列は必ずしも２列である必要はなく、１列であってもよい。これらの凸子３２ａ，３２ｂはロック機構９およびダイヤル強制駆動機構１００を構成し、その詳細は後述する。
【００３１】
（３）往復動機構７の構成
往復動機構７は、施錠および解錠の各操作に基づくアクチュエータ２の作動（筒状体２１の回動）に応動して作動軸３を所定のタイミングで所定の変位量だけ往復移行させるためのもので、筒状体２１の外筒２３の外周面に形成された第１，第２の各凹部２５，２６と、外筒２３の外周に嵌合される外筒リング７０（図２５に示す）に１２０度毎に設けられた開口部７１と、外筒２３の上端面に設けられ、外筒リング７０の上端面に１２０度毎に形成された切溝７５と係脱可能な爪板７４（図４に示す）と、作動軸３をアクチュエータ２の方向へ付勢する前記圧縮バネ３３とを含む。
外筒２３の各凹部２５，２６の両側壁、および外筒リング７０の開口部７１の一方の側壁７２は、後述するように作動軸３の先端部３０が脱出し易いように傾斜させてある。
【００３２】
図５および図６に示す「開状態」のときは、外筒２３の第１の凹部２５と外筒リング７０のいずれかの開口部７１とが重なって作動軸３の先端部３０に対向位置する。作動軸３は圧縮バネ３３のバネ力により押され、先端部３０が外筒リング７０の開口部７１より外筒２３の第１の凹部２５へ嵌入している。この嵌入状態のとき、作動軸３はアクチュエータ２の側へ最も変位している。以下、この位置を「第１変位位置」という。
【００３３】
図７および図８は、アクチュエータ２が「開状態」から「閉状態」への移行時の状態を示している。この状態では、外筒２３と外筒リング７０とは爪板７４（図４に示す）による係合が外れているため一体回動せず、外筒２３のみが回動する結果、作動軸３の先端部３０は第１の凹部２５より脱出して外筒２３の外周面２３Ａに乗り上がっている。この乗り上がった状態のとき、作動軸３は圧縮バネ３３のバネ力に抗して押され、アクチュエータ２に対して反対方向へ変位している。以下、この位置を「第２変位位置」という。
【００３４】
図９および図１０に示す「閉状態」のときは、外筒２３の第２の凹部２６と外筒リング７０の開口部７１とが重なって作動軸３の先端に対向位置している。作動軸３は圧縮バネ３３のバネ力により押され、先端部３０が外筒２３の外周面２３Ａから第２の凹部２６へ入り込み、アクチュエータ２の側へ最も変位した「第１変位位置」で定位している。
【００３５】
図１１および図１２は、「閉状態」から「開状態」への移行時の状態を示している。この状態では、外筒２３と外筒リング７０とは爪板７４（図４に示す）により係合して一体回動する。その結果、作動軸３の先端部３０は外筒２３の第２の凹部２６および外筒リング７０の開口部７１を脱出して外筒リング７０の外周面７０Ａに乗り上がる。この乗り上った状態のとき、作動軸３は圧縮バネ３３のバネ力に抗して押され、アクチュエータ２と反対方向へ最も変位している。以下、この位置を「第３変位位置」という。
【００３６】
「閉状態」から「開状態」へ約１２０度回動したときの状態、すなわち、「開状態」では、作動軸３は圧縮バネ３３のバネ力を受けてその先端部３０が外筒２３の第１の凹部２５へ嵌入している。この嵌入状態のとき、作動軸３はアクチュエータ２の側へ最も変位した「第１変位位置」になっている。
【００３７】
（４）回動機構８の構成
回動機構８は、筒状体２１の外筒２３の外周に装着された第１の傘歯車８０と、作動軸３の先端部３０に支持された第２の傘歯車８１とで構成されている。第１，第２の各傘歯車８０，８１は互いに噛み合い、これにより筒状体２１の回動が作動軸３へ伝達されて作動軸３が回動する。作動軸３は上記した「開状態」から「閉状態」へ、また「閉状態」から「開状態」へ、それぞれ移行する間に１回転するように各傘歯車８０，８１の歯のピッチなどが決められている。
【００３８】
第１の傘歯車８０は、図３および図２６に示すように、その下面に所定の角度範囲βにわたって切り欠かれた切欠溝８２が形成されている。一方、筒状体２１の外筒２３の外周には、図３および図２４（１）に示すように、前記角度βより小さな角度αにわたる係合突起８３が形成されてあり、係合突起８３に切欠溝８２が係合するようにして外筒２３の外周に第１の傘歯車８０が装着されている。この切欠溝８２と係合突起８３とは、筒状体２１が所定の角度（β―α）（この実施例では、約３０度）回動した時点で第１の傘歯車８０が筒状体２１と一体回動を開始し、これにより第２の傘歯車８１の回動を開始させる作動遅延機構を構成している。
【００３９】
施錠および解錠の各操作に際して、筒状体２１が回動するとき、回動当初は係合突起８３が切欠溝８２内を空転する結果、第１の傘歯車８０は一体回動せず、筒状体２１が所定の角度（β―α）だけ空転して係合突起８３が係合溝８２の端に達した後、第１の傘歯車８０は一体回動を開始する。この作動遅延機構は、まず、作動軸３を回動させずに軸方向に移動させ、引き続き、作動軸３を軸方向へ移動させかつ回動動作させるためのもので、後述するロック機構９やダイヤル強制駆動機構１００の動作と関わっている。
【００４０】
（５）ダイヤル４とロックギヤ５の構成
４個の各ダイヤル４は、作動軸３上の決められた等間隔位置にそれぞれロックギヤ５を介して回動可能に支持されている。各ダイヤル４は、図１３〜図１５に示すように、ダイヤル本体４０の外周面の等角度位置毎に「０」〜「９」の符号４３が表され、ダイヤル操作面４２が構成されている。また、ダイヤル本体４０の一方の側面には、ダイヤル間欠送り機構９０を構成するボス部４４が一体に設けられている。
【００４１】
前記ボス部４４の外周縁には符号数に相当する数（１０個）の谷部４５が形成されており、各ダイヤル４のボス部４４と対応させて設けられるＵ字形状の押えばね９１（図３に示す）とともにダイヤル間欠送り機構９０を構成している。ダイヤル間欠送り機構９０は、各ダイヤル４の回動操作に対してダイヤル４を符号の配列角度ずつ間欠送りして前面プレート１１の窓孔１５に「０」〜「９」の各符号４３を順次定位させるものである。
【００４２】
前記の各押えばね９１は、板ばねによって構成され、その基端部が適所に固定されるとともに、先端部に一対の押圧部９２，９２が一体形成されている。各押圧部９２はボス部４４の外周縁にそれぞれ押し当てられており、ダイヤル４の自由回動を規制している。ダイヤル４のダイヤル操作面４２を手操作してダイヤル４を回すと、押えばね９１の各押圧部９２がボス部４４の各谷部４５と順次係合することにより、ダイヤル４が所定の回動角度位置に順次止まり、前面プレート１１の窓孔１５に「０」〜「９」の符号４３が順次出現する。
【００４３】
各ダイヤル本体４０の他方の側面には、後述する各ダイヤル駆動板１０１が各ダイヤル４に向かって近づいたときに、ダイヤル駆動板１０１に設けられた係合突片１０４が突き当たる摺動面１０６が１周に亘って形成されるとともに、摺動面１０６の所定の角度位置に係合突片１０４との係脱が可能な係合凹部１０５が形成されている。この係合凹部１０５および摺動面１０６はダイヤル強制駆動機構１００を構成するもので、その詳細は後述する。
【００４４】
各ロックギヤ５は、作動軸３上の各ダイヤル４の位置に、回動可能かつ作動軸３に沿って往復動可能に支持されている。各ダイヤル４のダイヤル本体４０の内周面には、符号数に一致する数（１０個）の嵌合溝４６を等角度間隔で一周配置して成る溝列４１が形成されている（図１３，図１５）。また、各ダイヤル本体４０の内周面の隣り合う嵌合溝４６，４６間には係合突子４７が位置し、係合突子列４８が形成されている。
【００４５】
一方、各ロックギヤ５の前端部の外周面には、図１６〜図１８に示すように、ダイヤル４の嵌合溝４６と嵌合可能な嵌合突子５１が等角度間隔で所定数（この実施例では５個）、一周配置されて成る突子列５０ａ，５０ｂが２列形成されている。各ロックギヤ５の突子列５０ａ，５０ｂ間にはダイヤル４の係合突子列４８の長さよりやや広い幅の摺動凹溝５２が形成されている。
【００４６】
ロックギヤ５がダイヤル４に向けて移動して、ロックギヤ５のいずれかの突子列５０ａ，５０ｂの各嵌合突子５１がダイヤル４の嵌合溝４６と噛み合ったとき、ダイヤル４とロックギヤ５とが結合して一体回動が可能となる。これに対して、ロックギヤ５がダイヤル４から離れてロックギヤ５の各嵌合突子５１とダイヤル４の嵌合溝４６との噛み合いが外れたとき、ダイヤル４はロックギヤ５との係わりが切れ、単独で回動可能となる。
【００４７】
（６）解錠符号列設定機構６の構成
解錠符号列設定機構６は、解錠符号列を自由に設定しかつ記憶させるための機構であって、各ダイヤル４と各ロックギヤ５とを上記した嵌合部分を介していずれかの嵌合角度位置で噛み合わせることにより解錠符号列を記憶させるものである。ロックギヤ５に対するダイヤル４の嵌合角度位置、すなわちロックギヤ５の突子列５０ａ，５０ｂとダイヤル本体４０の溝列４１との噛み合い角度位置は、符号数に一致する数だけ存在するもので、従って、両者の噛み合い角度位置に応じて解錠符号を１０通り記憶させることが可能である。
【００４８】
この実施例での解錠符号列設定機構６は、各ダイヤル４のダイヤル本体４０の内周面に形成された溝列４１と、各ロックギヤ５の外周面に形成された突子列５０ａ，５０ｂと、解錠符号列の設定操作が可能な状態（すなわち、ロックギヤ５とダイヤル４との係わりが切れた状態）と解錠符号列が記憶された状態（すなわち、ロックギヤ５とダイヤル４とが係わった状態）とを形成するための変位機構６０とで構成される。
【００４９】
（７）変位機構６０の構成
この変位機構６０は、施錠および解錠の各操作に応動する筒状体２１に連動させて全てのロックギヤ５を後述する全てのダイヤル駆動板１０１とともに一斉に往復変位させて各ダイヤル４に近づけたり遠ざけたりする機構である。このような動作を実現するために、この実施例では、外筒２３の下部外周面の所定角度位置に形成された凸曲面２９（図２４（２）に示す）と、外筒２３の回動時に作動軸３に沿う方向へ往復動する可動体６１（図３および図２７に示す）と、アクチュエータ２に最も近いダイヤル駆動板１０１と仕切板１６との間に設けられた復帰バネ６７（図３および図５〜図１２に示す）とで構成されている。各ロックギヤ５は隣り合う各ダイヤル駆動板１０１と互いに当接するよう配備されている。復帰バネ６７は、連なったロックギヤ５およびダイヤル駆動板１０１の列をアクチュエータ２と反対方向へ付勢する。
なお、この変位機構６０は、４個のダイヤル駆動板１０１とともに後述するダイヤル強制駆動機構１００を構成するものでもある。
【００５０】
可動体６１は、図２７に示すように、箱状ケース１０の底面上に垂直かつ互いに平行に配備される駆動板６２およびストッパー６３と、駆動板６２とストッパー６３とを所定の間隔をあけた状態で一体化する２本の連結棒６４，６４とから成る。ストッパー６３は、ロックギヤ５およびダイヤル駆動板１０１の列の移行規制位置を設定するものである。ストッパー６３の頂部には凹状に切り欠かれた凹溝６５が形成されており、作動軸３の基端部を摺動可能に支持する。駆動板６２の内側面には、その中央に突起部６６が一体形成されている。
【００５１】
この可動体６１は、図５および図６に示す「開状態」のとき、駆動板６２の外側面が外筒２３の下部外周面の垂直面２８Ａに当接するとともに、ストッパー６３の内側面がアクチュエータ２に最も遠いロックギヤ（以下、「終端のロックギヤ」という。）５に当接した状態にある。また、可動体６１の駆動板６２と箱状ケース１０の底面上の所定位置に立設された立壁６８との間には、駆動板６２（可動体６１）をアクチュエータ２の側へ押す圧縮バネ６９が設けられている。この圧縮バネ６９は、突起部６６に嵌められて固定されている。
【００５２】
この「開状態」では、可動体６１のストッパー６３により終端のロックギヤ５がアクチュエータ２に向けて押され、これと連なった他のロックギヤ５が各ダイヤル駆動板１０１とともにアクチュエータ２の側へ変位している。このとき、各ダイヤル４の溝列４１は各ロックギヤ５のいずれの突子列５０ａ，５０ｂとも噛み合っておらず、各ダイヤル４と各ロックギヤ５との係わりは切れている。これにより、「開状態」のときの各ダイヤル４は、単独で回動することが可能な状態にあり、任意の解錠符号を設定できる。
また、この「開状態」では、各ダイヤル駆動板１０１は、対応する各ダイヤル４から遠ざかって位置している。
【００５３】
図７および図８に示す「開状態」から「閉状態」の移行時では、外筒２３の回動に伴い、駆動板６２が外筒２３の凸曲面２９へ乗り上がることにより、駆動板６２はアクチュエータ２と反対方向へ押され、一定量だけ変位した状態で凸曲面２９上を摺動する。これにより、可動体６１がアクチュエータ２と反対方向へ変位し、ストッパー６３により変位が規制されていたロックギヤ５およびダイヤル駆動板１０１の列が復帰バネ６７のバネ力により押されて変位する。このとき作動軸３は「第２変位位置」にあり、作動軸３のフランジ部３１が終端のロックギヤ５の後端面に形成されたリング溝５５（図１８に示す）に係合するため、ロックギヤ５およびダイヤル駆動板１０１の列はこれ以上の変位が規制される。この状態では、各ダイヤル４の溝列４１と各ロックギヤ５の一方の突子列５０ｂとが噛み合って係わり合うので、設定された解錠符号列が記憶される。
また、この状態では、各ダイヤル駆動板１０１は、対応する各ダイヤル４に近づいて位置している。
【００５４】
図９および図１０の「閉状態」では、作動軸３は「第１変位位置」にあり、ロックギヤ５およびダイヤル駆動板１０１の列は、終端のロックギヤ５が作動軸３のフランジ部３１によりアクチュエータ２に向けて押されることにより、アクチュエータ２の側に変位した状態にある。この状態では、各ロックギヤ５は変位しても、その変位量はわずかであるため、ダイヤル４との噛み合いが維持され、解錠符号の記憶が保持されている。従って、各ダイヤル４と各ロックギヤ５とは一体回動が可能な状態にあり、解錠のためのダイヤル操作により解錠符号を整列させることができる。このとき、可動体６１は、駆動板６２が圧縮バネ６９のバネ力により押されることにより、アクチュエータ２の側へ変位しており、駆動板６２は外筒２３の垂直面２８Ｂと当接している。
また、この「閉状態」では、各ダイヤル駆動板１０１は、対応する各ダイヤル４から遠ざかって位置している。
【００５５】
図１１および図１２に示す「閉状態」から「開状態」への移行時では、作動軸３がアクチュエータ２と反対方向に変位する「第３変位位置」にあり、作動軸３のフランジ部３１に可動体６１のストッパー６３が押されることにより、可動体６１はアクチュエータ２と反対方向に変位している。また、作動軸３のフランジ部３１がロックギヤ５およびダイヤル駆動板１０１の列から離れるため、復帰バネ６７のバネ力によりロックギヤ５およびダイヤル駆動板１０１の列はアクチュエータ２と反対方向へ変位する。
【００５６】
この状態では、各ダイヤル４の係合突子列４８が各ロックギヤ５の摺動凹溝５２に位置し、各ダイヤル４の溝列４１は各ロックギヤ５のいずれの突子列５０ａ，５０ｂとも噛み合っておらず、各ダイヤル４と各ロックギヤ５との係わりは切れている。そのため、各ダイヤル４は単独で回動が可能な状態となる。
また、この状態では、各ダイヤル駆動板１０１は、対応する各ダイヤル４に近づいて位置している。
【００５７】
（８）ロック機構９の構成
ロック機構９は、各窓孔１３に現れる各ダイヤル４の符号４３がすべて解錠符号であるとき（解錠符号列が生成されたとき）、作動軸３の移動を許容して施錠および解錠の各操作に伴う筒状体２１の回動を許容し、いずれかのダイヤル４の符号４３が解錠符号でないとき（解錠符号列が崩れているとき）、作動軸３の移動を規制して筒状体２１の回動を規制するものである。この実施例のロック機構９は、作動軸３の軸周面に突設された１列につき４個の２列の凸子３２ａ，３２ｂの列と、各ロックギヤ５の内周面の長さ方向に設けられ、前記の各凸子３２ａ，３２ｂが摺動して出入りする２個の凸子摺動溝５３ａ，５３ｂ（図１６に示す）とで構成されている。
【００５８】
各凸子摺動溝５３ａ，５３ｂと各凸子３２ａ，３２ｂの列とが同じ角度位置にあるとき、各凸子摺動溝５３ａ，５３ｂへ各凸子３２ａ，３２ｂが進入することができるので、作動軸３の移動が許容され、その結果、筒状体２１の回動が許容される。なお、図１６において、５４は凸子係合穴であり、いずれかの凸子３２ａ，３２ｂが凸子係合穴５４と係合する角度位置にあるとき、作動軸３の移動が規制され、その結果、筒状体２１の回動が規制される。
【００５９】
図５および図６に示す「開状態」のときは、作動軸３は「第１変位位置」にあり、作動軸３の各凸子３２ａ，３２ｂは各ロックギヤ５の凸子摺動溝５３ａ，５３ｂ内に係入しているので、筒状体２１の回動規制は解除されている。
図７および図８に示す「開状態」から「閉状態」への移行時には、作動軸３の各凸子３２ａ，３２ｂは各ロックギヤ５の凸子係合溝５３ａ，５３ｂより脱出し、各ロックギヤ５は作動軸３に対し独立して回動が可能な状態にある。このとき、各ロックギヤ５は各ダイヤル４と係わり合った状態にあり、各ロックギヤ５と各ダイヤル４とは一体回動する。
【００６０】
図９および図１０に示す「閉状態」のときも、作動軸３の各凸子３２ａ，３２ｂは各ロックギヤ５の凸子係合溝５３ａ，５３ｂから脱出した状態が維持されており、各ロックギヤ５は作動軸３に対して独立して回動可能な状態にある。この状態において、もし、作動軸３の凸子３２ａ，３２ｂと各ロックギヤ５の凸子摺動溝５３ａ，５３ｂとの位置がずれていれば、凸子３２ａ，３２ｂはロックギヤ５のいずれかの凸子係合穴５４と対向するため、作動軸３がアクチュエータ２と反対の方向へ移行するのが阻止される。一方、作動軸３の凸子３２ａ，３２ｂと各ロックギヤ５の凸子摺動溝５３ａ，５３ｂとの位置が一致すれば、作動軸３がアクチュエータ２と反対の方向へ移動するのが許容される。
【００６１】
図１１および図１２の「閉状態」から「開状態」への移行時には、作動軸３の各凸子３２ａ，３２ｂは各ロックギヤ５の凸子摺動溝５３ａ，５３ｂ内に係入し、各ロックギヤ５は作動軸３と一体回動可能な状態にある。このとき、各ダイヤル４は各ロックギヤ５との係わりが切れた状態にあり、各ダイヤル４は単独で回動する。
【００６２】
（９）ダイヤル強制駆動機構１００の構成
ダイヤル強制駆動機構１００は、解錠符号列を整列状態に設定した後、「開状態」から「閉状態」へ移行させるとき、整列状態の解錠符号列を崩して各ダイヤル４を決められた角度位置まで回動させるものであり、さらに、解錠符号列を整列させた後、「閉状態」から「開状態」へ移行させるとき、同様に、整列状態の解錠符号列を崩して各ダイヤル４を決められた角度位置まで回動させるものである。この実施例では、いずれの場合も、各ダイヤル４の窓孔１５に「０」が出現するような角度位置に各ダイヤル４を強制回動させることにより、「０」が４個並んだ初期符号列の整列状態へ移行させる構成となっているが、これに限らず、他の決められた符号が各窓孔１５に出現するように構成してもよい。
【００６３】
この実施例のダイヤル強制駆動機構１００は、作動軸３上に各ダイヤル４に対応させて作動軸３と一体回動可能に設けられる４個のダイヤル駆動板１０１と、各ダイヤル駆動板１０１を対応するダイヤル４に対して往復変位させる前記の変位機構６０とで構成されている。変位機構６０は、各ダイヤル駆動板１０１をアクチュエータ２の側へ変位させて対応するダイヤル４から遠ざけたり、アクチュエータ２と反対方向へ変位させて対応するダイヤル４に近づけたりする。
【００６４】
各ダイヤル駆動板１０１と各ダイヤル駆動板１０１にそれぞれ対応するダイヤル４との間には、施錠および解錠の各操作時に各ダイヤル４を解錠符号列の整列状態から初期符号列の整列状態へと強制的に移行させるために、ダイヤル駆動板１０１が対応するダイヤル４の方向へ変位した（近づいた）状態で作動軸３と一体回動する間にダイヤル４と係合する係合部分がそれぞれ設けられている。この係合部分は、この実施例では、ダイヤル駆動板１０１に設けられた係合突片１０４と、図１５および図２８に示すように、ダイヤル４の前記係合突片１０４と対向する側の側面に一周形成された摺動面１０６に前記係合突片１０４と係脱可能に凹設された係合凹部１０５とで構成されている。
【００６５】
係合突片１０４は、図１９〜図２３に示すように、基端部がダイヤル駆動板１０１に固定された板ばね１０３の先端部に、対応するダイヤル４に向けて突出するように設けられている。板ばね１０３は円板状であり、基端部はその中央に円形の開口部１０３ａを有するリング状部１０３ｂとなっている。板ばね１０３の先端部は外周方向へ突出しており、その突出部分の先端をダイヤル４の側に鉤状に折り曲げることで前記係合突片１０４が形成されている。
【００６６】
各係合突片１０４は、施錠および解錠の各操作時にダイヤル駆動板１０１が変位機構６０によって対応するダイヤル４に向けて変位したとき、各ダイヤル４の摺動面１０６に突き当たった後、摺動面１０６により後方（この実施例では、対応するダイヤル４と反対方向）へ押圧されて板ばね１０３が弾性変形するように、「開状態」および「閉状態」における係合突片１０４の突出した端部と摺動面１０６との対向距離が、ダイヤル駆動板１０１の変位量よりも小さくなるように設定されている。これにより、係合突片１０４とダイヤル４の係合凹部１０５との位置が一致していない間は、板ばね１０３は弾性変形した状態が維持され（図８，図１２参照）、係合突片１０４とダイヤル４の係合凹部１０５との位置が一致すると、係合突片１０４が摺動面１０６による押圧力から解放され、板ばね１０３が復元力により元の状態に復帰することにより、係合突片１０４が係合凹部１０５に係入する。
【００６７】
各ダイヤル駆動板１０１は、図１９〜図２３に示すように、板ばね１０３の基端部のリング状部１０３ｂを両面から挟んで板ばね１０３を保持する固定板１０７および支持板１０８とを含んでいる。固定板１０７は、円盤形状の本体部１０９を有し、本体部１０９の一側面には、板ばね１０３の開口部１０３ａに挿入されるボス部１１０が一体形成されている。固定板１０７の本体部１０９およびボス部１１０には、中央に作動軸３を通す円形の貫通孔１１１が開設され、内周面に作動軸３と一体回動が可能なように作動軸３の各凸子３２ａ，３２ｂと係合する係合溝１０２ａ，１０２ｂが形成されている。ボス部１１０は、図２０に示すように、板ばね１０３の開口部１０３ａの形状に沿う外形を有する上半部１１０ａと、外形が半円状の下半部１１０ｂとから成り、上半部１１０ａと下半部１１０ｂとの境目は段部１１０ｃになっている。固定板１０７の本体部１０９には、左右一対の係合孔１１２，１１２が形成されている。
【００６８】
前記支持板１０８は、半円筒状であり、内周面が固定板１０７の下半部１１０ｂの外周面に沿う形態となっている。支持板１０８の内周面には作動軸３の凸子３２ｂと係合する係合溝１０２ｂが形成されている。支持板１０８の両端部１０８ａ，１０８ｂの一方の側面には、固定板１０７の各係合孔１１２にそれぞれ嵌合される連結部１１３，１１３が形成されている。板ばね１０３の開口部１０３ａに固定板１０７のボス部１１０を挿入し、板ばね１０３のリング状部１０３ｂを固定板１０７の本体部１０９の一側面の外周部に当接させた状態で、支持板１０８の各連結部１１３を固定板１０７の各係合孔１１２に係入することで、板ばね１０３はリング状部１０３ｂが固定板１０７と支持板１０８とで狭持される。
【００６９】
支持板１０８の両端部１０８ａ，１０８ｂの上端面は、板ばね１０３のほぼ長さ中央部に位置している。これにより、ダイヤル駆動板１０１が対応するダイヤル４に近づいて係合突片１０４がダイヤル４の摺動面１０６に突き当たったとき、板ばね１０３は前記長さ中央部で曲がって後方に弾性変形する。
【００７０】
作動軸３は、上記した「開状態」と「閉状態」との間、「閉状態」と「開状態」との間を移行する間にちょうど１回転するので、作動軸３の凸子３２ａ，３２ｂは「開状態」および「閉状態」のとき同じ角度位置にあり、各ダイヤル駆動板１０１の係合突片１０４も「開状態」および「閉状態」のとき同じ角度位置にある。この実施例では、「開状態」および「閉状態」のとき、ダイヤル駆動板１０１の係合突片１０４が最上位置、すなわち、前面プレート１１の側に位置するようダイヤル駆動板１０１の作動軸３への取付角度位置が設定してある。一方、ダイヤル４が窓孔１５に符号の「０」が出現する角度位置にあるとき、係合凹部１０５が最上位置に位置するように係合凹部１０５の各ダイヤル４への設置位置が設定してある。従って「開状態」および「閉状態」のときに、ダイヤル４の係合凹部１０５にダイヤル駆動板１０１の係合突片１０４が係合していると、窓孔１５に出現するダイヤル４の符号は「０」である。
【００７１】
次に、上記した構成の符号錠装置について、この発明の特徴をなすダイヤル強制駆動機構１００を中心として施錠操作時および解錠操作時の一連の動作を詳細に説明する。
まず、施錠操作時の動作について説明すると、符号錠装置が図５および図６に示された「開状態」にあるとき、作動軸３は、先端部３０が外筒２３の第１の凹部２５に嵌まってアクチュエータ２の側へ最も変位した状態にある（第１変位位置）。
【００７２】
この「開状態」では、各ダイヤル４は各ロックギヤ５との係わりが切れた状態、すなわち、各ダイヤル４の溝列４１が各ロックギヤ５のいずれの突子列５０ａ，５０ｂとも噛み合っていない状態にある。また、各ダイヤル駆動板１０１は各ダイヤル４から遠ざかった位置にあり、各ダイヤル４とは係わり合っていないので、各ダイヤル４を回して解錠符号列を自在に設定することが可能である。
各ダイヤル駆動板１０１の板ばね１０３の係合突片１０４は、図２８（１）に示すように、最上位置、すなわち、前面プレート１１の方向にある。各ダイヤル４の係合凹部１０５も前面プレート１１の方向にある。
【００７３】
さらに、この「開状態」のときは、作動軸３の各凸子３２ａ，３２ｂは各ロックギヤ５の凸子摺動溝５３ａ，５３ｂ内に係入しているので、筒状体２１の回動規制は解除されており、符号錠装置は施錠操作が可能な状態に設定されている。
【００７４】
各ダイヤル４のダイヤル操作面４２を回動操作して、任意の解錠符号列（例えば、「２２２２」）を設定すると、図２８（２）に示すように、各ダイヤル４の係合凹部１０５は窓孔１５に出現する符号に応じた角度位置（この実施例では、前面プレート１１に対して７２度回転した角度位置）にそれぞれ移動する。
【００７５】
次に、撮み２０を回動操作すると、筒状体２１が回動し、作動軸３の先端部３０が外筒２３の第１の凹部２５から外周面２３Ａに乗り上がり、作動軸３がアクチュエータ２に対して反対方向へ押される結果、作動軸３は「第２変位位置」へ移行する。
この状態では、変位機構６０により各ロックギヤ５が各ダイヤル４に向かって変位して各ダイヤル４の溝列４１と各ロックギヤ５の一方の突子列５０ｂとが噛み合って係わり合うので、設定された解錠符号列が記憶される。この乗り上がった段階で各ロックギヤ５と各ダイヤル４とは一体回動が可能な状態になる。また、この状態では、各ロックギヤ５は作動軸３と係わりが切れた状態、すなわち、作動軸３の凸子３２ａ，３２ｂが各ロックギヤ５の凸子摺動溝５３ａ，５３ｂより脱出した状態にある。従って、各ダイヤル４および各ロックギヤ５は、作動軸３と独立して回動可能な状態にある。
【００７６】
さらに、各ダイヤル駆動板１０１は変位機構６０の働きにより各ダイヤル４に近づいている。このとき、各ダイヤル駆動板１０１の係合突片１０４は対応するダイヤル４の摺動面１０６に突き当たり、摺動面１０６によって板ばね１０３の付勢力に抗して後方へ押圧されることにより、各ダイヤル４と反対方向へ弾性変形した状態にある（図８参照）。
【００７７】
撮み２０を回動操作して、筒状体２１がさらに回動すると、回動機構８の第１の傘歯車８０が筒状体２１の外筒２３と一体回動して第２の傘歯車８１の回動を開始させるので、筒状体２１の回動が作動軸３に伝達されて作動軸３が回動する。
【００７８】
作動軸３が回動を始めると、各ダイヤル駆動板１０１は作動軸３と一体に回動する（図２８（３）参照）。その結果、各ダイヤル駆動板１０１の係合突片１０４は、当初は対応するダイヤル４の摺動面１０６上を摺動し、その後、作動軸３とダイヤル駆動板１０１とが適当な角度（この実施例では、２８８度）だけ一体回動すると、各ダイヤル駆動板１０１の係合突片１０４の位置と、対応するダイヤル４の係合凹部１０５の位置とが一致し（図２８（４）参照）、各係合突片１０４は板ばね１０３の復元力により元の状態に復帰して各ダイヤル４の係合凹部１０５に係合する。それ以後は、ダイヤル４とロックギヤ５とはダイヤル駆動板１０１と一体に回動するので、各ロックギヤ５の凸子摺動溝５３ａ，５３ｂは作動軸３の凸子３２ａ，３２ｂに対して位置ずれする。
【００７９】
作動軸３が１回転して各ダイヤル駆動板１０１の係合突片１０４が最上位置に至ったとき、各窓孔１５には各ダイヤル４の符号「０」が出現し、図９および図１０に示された「閉状態」となる。このとき、作動軸３は先端部３０が外筒２３の第２の凹部２６に嵌まり込み、アクチュエータ２の側へ変位した「第１変位位置」になっており、作動軸３の各凸子３２ａ，３２ｂと各ロックギヤ５の凸子摺動溝５３ａ，５３ｂとが位置ずれしているので、作動軸３がアクチュエータ２と反対方向へ移動するのが規制され、施錠状態が形成される。
【００８０】
次に、解錠操作時の動作について説明すると、符号錠装置が上記した「閉状態」にあるとき、作動軸３は、先端部３０が外筒２３の第２の凹部２６に嵌まってアクチュエータ２の側へ最も変位した状態にある（第１変位位置）。この状態では、各ダイヤル４と各ロックギヤ５とは係わり合った状態にあり、しかも各ロックギヤ５は作動軸３と係わりが切れた状態にあるので、各ダイヤル４を回して設定した解錠符号列を揃えることが可能となっている。また、各ダイヤル駆動板１０１は各ダイヤル４から離れた位置にあり、各ダイヤル４と係わりが切れた状態にある。
【００８１】
いま、各ダイヤル４のダイヤル操作面４２を回動操作して、前記の解錠符号列（「２２２２」）を整列させると、作動軸３の凸子３２ａ，３２ｂの位置と各ロックギヤ５の凸子摺動溝５３ａ，５３ｂの位置とが揃うので、作動軸３がアクチュエータ２と反対方向へ移動するのが許容され、符号錠装置は解錠操作が可能な状態に設定される。また、各ダイヤル４の係合凹部１０５は窓孔１５に出現する符号に応じた角度位置（この実施例では、前面プレート１１に対して７２度回転した角度位置）にそれぞれ移動する。
【００８２】
撮み２０を前記とは逆方向へ回動操作すると、アクチュエータ２の筒状体２１が回動し、作動軸３の先端部３０が外筒リング７０の外周面７０Ａに乗り上がり、作動軸３がアクチュエータ２と反対方向へ押される結果、作動軸３は「第３変位位置」へ移行する。この状態では、各ダイヤル４の溝列４１は各ロックギヤ５のいずれの突子列５０ａ，５０ｂとも噛み合っておらず、各ダイヤル４と各ロックギヤ５との係わりは切れているため、解錠符号列の記憶が解除される。従って、各ダイヤル４は単独で回動可能な状態となる。作動軸３の各凸子３２ａ，３２ｂは各ロックギヤ５の凸子摺動溝５３ａ，５３ｂ内に進入した状態を維持している。
【００８３】
さらに、各ダイヤル駆動板１０１は変位機構６０の働きにより各ダイヤル４に近づいている。このとき、各ダイヤル駆動板１０１の係合突片１０４は対応するダイヤル４の摺動面１０６に突き当たり、摺動面１０６によって板ばね１０３の付勢力に抗して後方へ押圧されることにより、各ダイヤル４と反対方向に弾性変形した状態にある（図１２参照）。
【００８４】
筒状体２１がさらに回動すると、回動機構８の第１の傘歯車８０が外筒２３と一体回動して第２の傘歯車８１の回動を開始させるので、筒状体２１の回動が作動軸３に伝達されて作動軸３が回動する。
【００８５】
作動軸３が回動すると、各ダイヤル駆動板１０１は作動軸３と一体回動し、各ダイヤル駆動板１０１の係合突片１０４は、対応するダイヤル４について、摺動面１０６上を摺動する。係合凹部１０５の位置へ係合突片１０４がくると、弾性変形した板ばね１０３の復元力により、係合突片１０４が解錠符号に応じた設定角度位置でダイヤル４の係合凹部１０５と係合し、それ以後はダイヤル４のみを強制回動させる。
【００８６】
作動軸３が１回転してダイヤル駆動板１０１の係合突片１０４が最上位置に至ったとき、各窓孔１３には各ダイヤル４の符号「０」が出現し、図５および図６に示された「開状態」となる。このとき、作動軸３は先端部３０が外筒２３の第１の凹部２５に嵌り込み、アクチュエータ２の側へ変位して「第１変位位置」になっている。
【図面の簡単な説明】
【００８７】
【図１】この発明の符号錠装置の外観を示す平面図である。
【図２】この発明の符号錠装置の外観を示す側面図である。
【図３】符号錠装置の内部構造を示す正面図である。
【図４】符号錠装置の内部構造を示す平面図である。
【図５】符号錠装置の内部構造を示す開状態時の水平方向に沿う断面図である。
【図６】符号錠装置の内部構造を示す開状態時の垂直方向に沿う断面図である。
【図７】符号錠装置の内部構造を示す施錠操作時の水平方向に沿う断面図である。
【図８】符号錠装置の内部構造を示す施錠操作時の垂直方向に沿う断面図である。
【図９】符号錠装置の内部構造を示す閉状態時の水平方向に沿う断面図である。
【図１０】符号錠装置の内部構造を示す閉状態時の垂直方向に沿う断面図である。
【図１１】符号錠装置の内部構造を示す解錠操作時の水平方向に沿う断面図である。
【図１２】符号錠装置の内部構造を示す解錠操作時の垂直方向に沿う断面図である。
【図１３】ダイヤル本体の側面図である。
【図１４】ダイヤル本体の正面図である。
【図１５】図１３のＡ−Ａ線に沿う断面図である。
【図１６】ロックギヤの側面図である。
【図１７】ロックギヤの正面図である。
【図１８】図１６のＢ−Ｂ線に沿うロックギヤの断面図である。
【図１９】ダイヤル駆動板の正面図である。
【図２０】ダイヤル駆動板の裏面図である。
【図２１】ダイヤル駆動板の側面図である。
【図２２】ダイヤル駆動板の斜視図である。
【図２３】ダイヤル駆動板の構成を示す分解斜視図である。
【図２４】外筒の平面図および底面図である。
【図２５】外筒リングの斜視図である。
【図２６】第１の傘歯車の平面図である。
【図２７】可動体の平面図、正面図および右側面図である。
【図２８】ダイヤル強制駆動機構の動作を示す作動軸、ダイヤル駆動板、およびダイヤルの側面図である。
【符号の説明】
【００８８】
２    アクチュエータ
３    作動軸
４    ダイヤル
５    ロックギヤ
６    解錠符号列設定機構
７    往復動機構
８    回動機構
９    ロック機構
２１  筒状体
２２  内筒
２３  外筒
３２ａ，３２ｂ  凸子
４１  溝列
４３  符号
５０  突子列
５３  凸子摺動溝
６０  変位機構
１００  ダイヤル強制駆動機構
１０１  ダイヤル駆動板
１０３  板ばね
１０３ｂ  リング状部
１０４  係合突片
１０５  係合凹部
１０６  摺動面
１０７  固定板
１０８  支持板
【図１】
0004594997.tif 000002
【図２】
0004594997.tif 000003
【図３】
0004594997.tif 000004
【図４】
0004594997.tif 000005
【図５】
0004594997.tif 000006
【図６】
0004594997.tif 000007
【図７】
0004594997.tif 000008
【図８】
0004594997.tif 000009
【図９】
0004594997.tif 000010
【図１０】
0004594997.tif 000011
【図１１】
0004594997.tif 000012
【図１２】
0004594997.tif 000013
【図１３】
0004594997.tif 000014
【図１４】
0004594997.tif 000015
【図１５】
0004594997.tif 000016
【図１６】
0004594997.tif 000017
【図１７】
0004594997.tif 000018
【図１８】
0004594997.tif 000019
【図１９】
0004594997.tif 000020
【図２０】
0004594997.tif 000021
【図２１】
0004594997.tif 000022
【図２２】
0004594997.tif 000023
【図２３】
0004594997.tif 000024
【図２４】
0004594997.tif 000025
【図２５】
0004594997.tif 000026
【図２６】
0004594997.tif 000027
【図２７】
0004594997.tif 000028
【図２８】
0004594997.tif 000029